(57)【要約】【課題】一般的な防水型火災感知器等の火災感知器は、天井面にネジ止め固定することにより取り付けるため、刃受け金具を備えた埋込型ベースに取り付けることができない。そのため、埋込型ベース用の刃金具を有する火災感知器を、別途製造する必要があった。【解決手段】刃受け部を有する埋込型ベースに嵌合する刃金具が背面側に突出して設けられ、前面側にネジ止め固定される火災感知器を固定する固定部が設けられた感知器用ベースアダプタを用いることにより、一般的な防水型火災感知器等を埋込型ベースに取り付けることができ、埋込型ベース用の火災感知器と同様に刃金具を有する防水型火災感知器等を、別途製造する必要がない。【選択図】  図１
2016143258.tif 000002
【特許請求の範囲】
【請求項１】
刃受け部を有する埋込型ベースに嵌合する刃金具が背面側に突出して設けられ、
前面側にネジ止め固定される火災感知器を固定する固定部が設けられた、
感知器用ベースアダプタ。
【請求項２】
金属板により形成される、
請求項１の感知器用ベースアダプタ。
【請求項３】
略円盤状に形成され、
円周の相対する２カ所から人の指が入る幅の切込みを有する、
請求項１または２の感知器用ベースアダプタ。
【請求項４】
前記切込みのうちの少なくとも１つは、中央近くで広がった通線部と連通する、
請求項３の感知器用ベースアダプタ。
【請求項５】
前記刃金具は円周の相対する２カ所の位置に設けられ、前記刃金具の２カ所の位置を結ぶ線と、前記切込みの２カ所の位置を結ぶ線は略垂直である、
請求項３または４のいずれかの感知器用ベースアダプタ。 
【発明の詳細な説明】
【技術分野】
【０００１】
本発明は火災感知器を設置する際に用いる、感知器用ベースアダプタに関するものである。
【背景技術】
【０００２】
従来、天井面から火災感知器が突出することなく、見た目に薄く見栄えを良くするために、火災感知器の天井面への取り付けに埋込型のベースが用いられている（特許文献１）。
現在、火災感知器の埋込型ベースの取り付けは、施工性の良さから特許文献１の［００２８］〜［００２９］段落や、図４（ｂ）のように、火災感知器を回動させ、火災感知器に設けられた刃金具（係止爪３０）を埋込型ベースに設けられた刃受金具（接続金具２４）に嵌合させている。
また、一般的な防水型の火災感知器の様に、防水性の高さ及び製造の容易さから、プリント基板を充填剤で封止してプリント基板からリード線が引き出されており、天井面にネジ止め固定することにより取り付けされる火災感知器がある（特許文献２）。
【先行技術文献】
【特許文献】
【０００３】
【特許文献１】特開２０００−２０８４５号公報
【特許文献２】特開２００４−４６３８４号公報
【発明の概要】
【発明が解決しようとする課題】
【０００４】
一般的な防水型火災感知器のようにリード線が引き出され、ネジ止め固定する様な火災感知器を、上記のような埋込型ベースに取り付けることはできない。そのため、上記のような火災感知器を埋込型ベースに取り付けるためには、刃金具を有する埋込型ベース用の火災感知器を別途製造する必要があった。また、たとえば、リニューアル等により埋込型ベースが設置されている場所に防水型火災感知器の設置が必要となり、一般的な防水型火災感知器を設置しようとする場合には、埋込型ベースを取り外した大きな取付孔では防水型火災感知器を設置できないため、天井面を張り替える必要があった。
【課題を解決するための手段】
【０００５】
（１）本発明は、刃受け部を有する埋込型ベースに嵌合する刃金具が背面側に突出して設けられ、前面側にネジ止め固定される防水型火災感知器を固定する固定部が設けられた、感知器用ベースアダプタである。
【０００６】
（２）本発明は、前記（１）において、金属板により形成される、感知器用ベースアダプタである。
【０００７】
（３）本発明は、前記（１）または（２）のいずれかにおいて、略円盤状に形成され、円周の相対する２カ所から人の指が入る幅の切込みを有する、感知器用ベースアダプタである。
【０００８】
（４）本発明は、前記（３）において、前記切込みのうちの少なくとも１つは、中央近くで広がった通線部と連通する、感知器用ベースアダプタである。
【０００９】
（５）本発明は、前記（３）または（４）のいずれかにおいて、前記刃金具は円周の相対する２カ所の位置に設けられ、前記刃金具の２カ所の位置を結ぶ線と、前記切込みの２カ所の位置を結ぶ線は略垂直である、感知器用ベースアダプタである。
【発明の効果】
【００１０】
本発明の請求項１に記載の構成によると、感知器用ベースアダプタによって、一般的な防水型火災感知器のようにネジ止め固定する火災感知器を刃受け金具を備えた埋込型ベースに取り付けることができ、埋込型ベース用の火災感知器と同様に刃金具を有する防水型火災感知器を別途製造する必要がない。また、リニューアル等により埋込型ベースが設置されている場所に防水型火災感知器等を設置する必要が生じた際に、一般的な防水型火災感知器等のネジ止め等により固定する火災感知器を設置しようとする場合であっても、埋込型ベースをそのまま利用することができるため、取付孔が小さい防水型火災感知器等のために天井面を張り替える必要がない。
【００１１】
本発明の請求項２に記載の構成によると、感知器用ベースアダプタを金属板により形成しているので、プレス加工により安価に製造することができる。
【００１２】
また、本発明の請求項３に記載の構成によると、感知器用ベースアダプタに円周の相対する２カ所から人の指が入る幅の切込みを設けることによって、作業者が感知器用ベースアダプタを火災感知器にネジ止めする際に位置合わせを行いやすい。さらに、火災感知器を回動させれば感知器用ベースアダプタと共に埋込型ベースから取り外すことができるが、作業者がこのことに気付かずに火災感知器のネジを外すと埋込型ベース側に感知器用ベースアダプタが残ってしまう。このような場合でも、感知器用ベースアダプタの切込みに、作業者が指を入れて回動させることにより、埋込型ベースから感知器用ベースアダプタを容易に取り外すことができる。
【００１３】
また、本発明の請求項４に記載の構成によると、切込みのうちの少なくとも１つが、中央近くで広がった通線部と連通しているため、作業者は防水型火災感知器から導出されるリード線を、切込みを通して容易に通線部へ配置させることができる。
【００１４】
また、本発明の請求項５に記載の構成によると、感知器用ベースアダプタにおける刃金具の２カ所を結ぶ線と切込の２カ所を結ぶ線が略垂直であることにより、刃金具と切込みの間隔が円周状で略均一となって狭い部分がなくなり、感知器用ベースアダプタの強度が保たれる。仮に上記２つの線の角度が小さい部分があると、その方向で切り起こした刃金具と切込みが近づき、金属板に狭い部分が生じて強度が低下するため、金属板を厚くしたり、強度の高い材質を用いたりする必要がある。
【図面の簡単な説明】
【００１５】
【図１】設置状態の斜め下方から見た、感知器用ベースアダプタ、防水型火災感知器、埋込型ベースの分解図。
【図２】設置状態の斜め上方から見た、感知器用ベースアダプタ、防水型火災感知器、埋込型ベースの分解図。
【図３】感知器用ベースアダプタを用いて防水型火災感知器を埋込型ベースに設置した状態での断面図。
【発明を実施するための形態】
【００１６】
本発明を実施するための形態において、リード線が引き出され、ネジ止め固定する様な火災感知器として、防水型火災感知器２を例に説明する。図１は、設置状態の斜め下方から見た、感知器用ベースアダプタ１、防水型火災感知器２、埋込型ベース３の分解図であり、図２は、斜め上方から見た分解図である。
【００１７】
感知器用ベースアダプタ１において、１１は刃金具、１２は固定部を形成するネジ穴、１３は作業者の指を通す切込み、１４は切込み１３の縁に形成された曲折部、１５は防水型火災感知器２から導出される配線を通過させるための通線部、１６は通線部の周囲に設けた保護カバー、１７は防水型火災感知器２を設置する前面、１８は背面である。ネジ穴１２による固定部は、感知器用ベースアダプタ１の前面１７側に防水型火災感知器２を固定できるように形成されており、曲折部１４は背面１８側に突出して設けられる。
【００１８】
作業者の指を通すために、切込み１３は円周の相対する２カ所に設けられ、感知器用ベースアダプタ１の強度が保てる程度であり人の指が入る幅（３０ｍｍ以上）を有する。感知器用ベースアダプタ１は、プレス加工により金属板を略円盤状に打ち抜き、折り曲げにより刃金具１１と曲折部１４を形成する。そして、ネジ穴１２に雌ネジを切るとともに、樹脂製の保護カバー１６を取り付けて製造される。保護カバー１６は断面コの字状であり、両端部近傍には切込を設けて通線部１５の縁の曲面部にも取り付けられている。なお、通線部１５のバリ取りを行えば、保護カバー１６を取り付ける必要はない。通線部１５は切込み１３から連続しており、感知器用ベースアダプタ１の中央近くで広がって形成される。
【００１９】
また、刃金具１１と曲折部１４はプレス加工によって感知器用ベースアダプタ１の背面１８側に突出するが、１回のプレス加工で打ち抜きと折り曲げを行ってもよい。刃金具１１は円周の相対する２カ所の位置に設けられ、図１，２に示すように、刃金具１１の２カ所の位置を結ぶ線と、切込み１３の２カ所の位置を結ぶ線は略垂直である。
【００２０】
曲折部１４は、作業者が感知器用ベースアダプタ１を持って作業する際に、指を傷つけることがなく、また、感知器用ベースアダプタ１に剛性を持たせるために設けられている。しかし、バリ取りを十分に行い、金属板が必要な剛性を有した厚さや材質であれば、曲折部１４を設けなくてもよい。このように、感知器用ベースアダプタ１を金属板により形成すれば、ほぼプレス加工だけで製造できるので、低コストである。
【００２１】
また、防水型火災感知器２において、２１はネジ挿通孔、２２は熱電対が設けられた温度センサ部、２３はセンサ部のプロテクタ、２４は確認灯、２５はリード線である。温度センサ部２２は細い棒状であるため、プロテクタ２３により周囲を保護している。防水型火災感知器２の回路基板は充填剤により封止されており、水分に接しない構造となっている。そして、リード線２５は充填剤中の回路基板から導出されており、防水型火災感知器２を設置する際に作業者が図示しない火災受信機から延設された感知器信号線と接続する。
【００２２】
さらに、埋込型ベース３において、３１は刃金具１１の刃受け部である刃受金具、３２はベース取付金具、３３はベース孔である。埋込型ベース３は、防水仕様ではない煙感知器などにも用いられる一般的なベースであり、天井に設けた開口に嵌め込まれて、相対する位置に設けられた２つのベース取付金具３２により天井に固定される。
【００２３】
防水型火災感知器２を埋込型ベース３に設置する際には、作業者は、まず感知器用ベースアダプタ１の前面１７に防水型火災感知器２を重ね合わせ、ネジ挿通孔２１に図示しない雄ネジを通してネジ穴１２にネジ止め固定する。その際に、作業者は切込み１３に指を通すなどして、ネジ挿通孔２１とネジ穴１２の位置合わせを行うことができる。また、リード線２５は、感知器用ベースアダプタ１の側方から切込み１３を通して通線部１５内に容易に配置することができる。通線部には保護カバー１６が設けられているので、作業中などにリード線２５が傷つくことはない。
【００２４】
その後、作業者は天井裏に設置された感知器信号線をベース孔３３から引き出してリード線２５と接続し、感知器用ベースアダプタ１を取り付けた防水型火災感知器２を埋込型ベース３に押し付けて回動させる。そうすると、感知器用ベースアダプタ１における背面１８側に突出して設けられた刃金具１１が、刃受金具３１に嵌合して固定される。刃金具１１は図１，２に示すように小穴を有しており、嵌合した際に刃受金具３１の凸部と係合して作業者にクリック感をもたらし、さらに固定を安定させる。図３は、感知器用ベースアダプタ１を用いて防水型火災感知器２を埋込型ベース３に設置した状態での断面図である。感知器用ベースアダプタ１は防水型火災感知器２と埋込型ベース３の間に黒く表示している。
【００２５】
このようにして、ネジ止めによって設置する防水型火災感知器２を、刃金具を備えた火災感知器と同様に刃受金具３１により固定する埋込型ベース３に取り付けることができる。
【００２６】
なお、防水型火災感知器２を埋込型ベース３に設置した後に取り外す場合には、防水型火災感知器２を回動させれば、感知器用ベースアダプタ１の刃金具１１が刃受金具３１から外れる。しかしながら、防水型火災感知器２はネジ止めが基本となっており、設置状態でネジ挿通孔２１が視認できることもあり、作業者がネジを外してしまう可能性がある。その場合、感知器用ベースアダプタ１が埋込型ベース３に取り付けられた状態で残ってしまう。しかし、切込み１３に指を差し込んで回動させることができるため、作業者は容易に感知器用ベースアダプタ１を取り外すことができる。
また、防水型火災感知器２を設置する際にも、埋込型ベース３に感知器用ベースアダプタ１を取り付けた後に、防水型火災感知器２を感知器用ベースアダプタ１にネジ止めして取り付けるようにしてもよい。
【００２７】
本実施例では、刃金具１１を導電部材として使用していない。そのことにより、２つの刃金具１１は電気的に絶縁されている必要がないため、感知器用ベースアダプタ１を１枚の金属板とすることができ、プレス加工により安価に製造することができる。また、刃金具１１を導電部材として使用していないため、刃受金具３１には感知器信号線を接続しない。したがって、刃受金具３１と刃金具１１は、防水型火災感知器２が取り付けられた感知器用ベースアダプタ１を埋込型ベース３に固定するために用いられる。しかしながら、刃金具１１を受けない刃受金具３１に感知器信号線とリード線２５を接続すれば、線間の絶縁性を確保することができる。たとえば、リニューアル等により埋込型ベースが設置されている場所に防水型火災感知器の設置する場合、感知器信号線が接続されている刃受金具３１に刃金具１１を固定しなければ、刃受金具３１にリード線２５をネジ止めして接続することもできる。
【００２８】
感知器用ベースアダプタ１の素材には通常の鉄を用いてもよいが、水分が多い場所で用いられる可能性があるため、ステンレス鋼などの錆びにくい材料を用いても良い。また防錆加工してもよい。また、強度が高い樹脂やセラミックとしてもよい。本実施例では通線部１５を切込み１３と連通させて、リード線２５を感知器用ベースアダプタ１の側部から挿入できるようにしたが、ベース孔３３のように中央付近に孔を設けて下から上に向けてリード線２５を挿通してもよく、特別な通線部を設けずに切込み１３を用いてリード線を挿通しても良い。
【符号の説明】
【００２９】
１  感知器用ベースアダプタ、１１  刃金具、１２  ネジ穴（固定部）、１３  切込み、１４  曲折部、１５  通線部、１６  保護カバー、１７  前面、１８  背面、２  防水型火災感知器、２１  ネジ挿通孔、２２  温度センサ部、２３  プロテクタ、２４  確認灯、２５  リード線、３  埋込型ベース、３１  刃受金具、３２  ベース取付金具、３３  ベース孔
【図１】
2016143258.tif 000003
【図２】
2016143258.tif 000004
【図３】
2016143258.tif 000005